(57)【特許請求の範囲】
【請求項１】
上下方向の中間部に中間スラブが配設されることによって中間仕切り部が設けられると共に、上部には上部スラブが配設されることによって貯水槽頂版部が設けられてなる貯水槽を構築するために用いられる上下二槽型の貯水槽構成用の内壁支柱部材であって、
下支柱部材の上端に上支柱部材が立設状態に連結されてなり、該下支柱部材の左右の立面の上部には、前記中間スラブの端部分を下方から支持する中間受部が設けられると共に、前記上支柱部材の左右の立面の上部には、前記上部スラブの端部分を下方から支持する上部受部が設けられ、且つ、前記上支柱部材の前記左右の立面の下部の両側に位置させて側部支持片が突設されており、該左右の側部支持片は、前記上支柱部材を前記下支柱部材の上端に連結するに際して、前記中間スラブの端部分の上面に、直接に又はライナープレートを介して間接的に載置されることを特徴とする上下二槽型の貯水槽構成用の内壁支柱部材。
【請求項２】
前記上支柱部材の下端部分には、前記下支柱部材の上端で上方に向けて突設された垂直接合筋の夫々を挿入させるための下端開放のスリーブの多数が埋設されており、該スリーブの側部にはその上下端側に上下の開口が設けられると共に、前記下端部分には、該上下の開口に連通し且つ該下端部分の外面で開放する上下の連通孔が設けられていることを特徴とする請求項１記載の上下二槽型の貯水槽構成用の内壁支柱部材。
【請求項３】
前記下支柱部材の上面部には支持台部が上方に向けて突設されており、該支持台部の上端面としての前記下支柱部材の上端に前記上支柱部材が立設状態に連結される如くなされており、前記下支柱部材の上面部の内、該支持台部の左右両側の部分には、前記中間スラブの端部分を下方から支持する中間受部が設けられており、前記支持台部の上端面が、該中間受部で支持された状態にある前記端部分の上面と面一乃至該上面よりも上方に位置することを特徴とする請求項２記載の上下二槽型の貯水槽構成用の内壁支柱部材。
【請求項４】
請求項１〜３の何れかに記載の上下二槽型の貯水槽構成用の内壁支柱部材を用いて構成されていることを特徴とする上下二槽型の貯水槽。
【請求項５】
左右の立面の上下方向の中間部に、中間スラブの端部分を下方から支持する中間受部が設けられると共に、該左右の立面の上部に、上部スラブの端部分を下方から支持する上部受部が設けられてなる内壁支柱部材と、
内側の立面の上下方向の中間部に、前記中間スラブの端部分を下方から支持する中間受部が設けられると共に、該内側の立面の上部には、前記上部スラブの端部分を下方から支持する上部受部が設けられてなる、全体が一体に形成された外壁支柱部材とを具えており、
前記内壁支柱部材は、その前後の立面としての継手面部相互を当接状態にして一列に並設されることにより内壁支柱部材列を構成し、該内壁支柱部材列が左右方向に所要間隔で並設されることにより内壁支柱部材並列体を構成する如くなされ、
又、前記外壁支柱部材は、前記内壁支柱部材並列体を構成する両外端の内壁支柱部材列の外方側において、両端の立面としての継手面部相互を当接状態にして並設されることにより、該内壁支柱部材と所要間隔を置いて外壁支柱部材列を構成する如くなされ、
前記内壁支柱部材並列体の選択された内壁支柱部材列に関し、これを構成する内壁支柱部材の全部又はその一部は、下支柱部材の上端に上支柱部材が立設状態に連結されてなり、該下支柱部材の左右の立面の上部に、中間スラブの端部分を下方から支持する前記中間受部が設けられると共に、前記上支柱部材の左右の立面の上部には、前記上部スラブの端部分を下方から支持する前記上部受部が設けられ、且つ、前記上支柱部材の前記左右の立面の下部の両側に位置させて側部支持片が突設されており、該左右の側部支持片は、前記上支柱部材を前記下支柱部材の上端に連結するに際して、前記中間スラブの端部分の上面に、直接に又はライナープレートを介して間接的に載置されてなり、
前記中間スラブが、同一高さで対向する前記中間受部間に架設され且つ前記端部分が該中間受部に固定されることによって中間仕切り部が設けられる如くなされており、又、前記上部スラブが、同一高さで対向する前記上部受部間に架設され且つ前記端部分が該上部受部に固定されることによって貯水槽頂板部が設けられる如くなされていることを特徴とする上下二槽型の貯水槽。
【発明の詳細な説明】
【技術分野】
【０００１】
本発明は、上下二槽型の貯水槽構成用の内壁支柱部材に関するものであり、又、該内壁支柱部材を用いて構成される上下二槽型貯水槽に関するものである。
【背景技術】
【０００２】
例えば地下に埋設されて大量の雨水を一時的に貯留し得ると共に、その上面を公園や駐車場等の人工施設として利用可能となされた、中間仕切り部によって上下二分割された上下二槽型の貯水槽の一例として、例えば特許文献１記載のものが提案されている。
【０００３】
該上下二槽型貯水槽ａは、図８０に示すように、側方に突出する載置部ｂを一体に有すると共に該載置部ｂの下方の所定位置にて側方に突出する中間載置部ｃを一体に有する柱状体ｄを該載置部ｂ及び該中間載置部ｃの突出方向と交差する方向に並列に地盤上に複数配設した複数の柱状体列ｅと、側方に突出する外枠載置部ｆを一体に有すると共に該外枠載置部ｆの下方の所定位置にて側方に突出する外枠中間載置部ｇを一体に有し、前記柱状体列ｅの外周を囲む外枠部ｈとを具えていた。又、互いに隣接する前記柱状体列ｅ，ｅの前記柱状体ｄの載置部ｂ，ｂ間、及び、前記柱状体列ｅの前記柱状体の載置部ｂと前記外枠部ｈの前記外枠載置部ｆとの間に夫々架設される頂版部ｊと、互いに隣接する前記柱状体列ｅ，ｅの前記柱状体ｄの前記中間載置部ｃ，ｃ間、及び、前記柱状体列ｅの前記柱状体の中間載置部ｃと前記外枠部ｈの前記外枠中間載置部ｇとの間に夫々架設された分割床版部ｋとを具えるものであった。
【０００４】
このように特許文献１記載の上下二槽型の貯水槽ａは、前記柱状体列ｅを構成する柱状体ｄが全体が一体に形成されると共に、前記柱状体列ｅの外周を囲む外枠部ｈも全体が一体に形成されていた。そして、前記分割床版部ｋが、互いに隣接する前記柱状体列ｅ，ｅの前記柱状体ｄ，ｄの中間載置部ｃ，ｃ間、及び、前記柱状体列ｅの前記柱状体ｄの中間載置部ｃと前記外枠部ｈの外枠中間載置部ｇとの間に架設されることによって中間仕切り部ｍを形成する構成を有していた。
【０００５】
かかることから、前記のようにして複数の柱状体列ｅ，ｅを構築した後に、前記分割床版部ｋを、互いに隣接する前記柱状体列ｅ，ｅの前記柱状体ｄ，ｄの中間載置部ｃ，ｃ間、及び、前記柱状体列ｅの前記柱状体ｄの中間載置部ｃと前記外枠部ｈの外枠中間載置部ｇとの間に架設せんとする場合は、該分割床版部ｋを、隣り合う載置部ｂ，ｂ間及び隣り合う載置部ｂと外枠載置部ｆとの間を通して吊り下ろす必要があった。
【０００６】
その際、前記分割床版部ｋを、隣り合う前記載置部ｂ，ｂ間の狭い導入開放部ｎや、隣り合う前記載置部ｂと前記外枠載置部ｆ間の狭い導入開放部ｐを通して、柱状体列ｅ，ｅ間の幅狭の空間部ｑや柱状体列ｅと外枠部ｈとの間の幅狭の空間部ｓに吊り下ろさなければならないのであるが、該分割床版部ｋの長さが該導入開放部ｎ，ｐの開放幅よりも大きいために、前記分割床版部ｋを水平面内等で適宜回転させて吊り下ろさなければならなかった。
【０００７】
又、前記分割床版部ｋを前記空間部ｑ，ｓに吊り下ろした後も、該幅狭の空間部ｑ，ｓにおいて該分割床版部ｋを適宜水平面内等で回転させて所要に位置決めを行ない、該分割床版部ｋの両端部分ｔ，ｔを、隣り合う前記中間載置部ｃ，ｃに載置し、又、前記載置部ｃと前記外枠中間載置部ｇに載置しなければならず、該分割床版部ｋの架設作業に慎重さと多くの手間を要して施工能率が悪く施工コストの上昇を招く問題があった。
【０００８】
又、この種の上下二槽型の貯水槽は、一般に、大量の雨水を一時的に貯留し得る大容積のものであって、平面視で占める面積が大きかった。かかる大型の貯水槽を構築する際に配慮しなければならないことの一つは、狭い施工現場において、鉄筋や生コン等の各種資材の仮置き場をどこに設定するかである。かかる資材仮置き場は、重機による資材の取扱いを能率的に行ない得るように設定しなければならないし、又、施工現場周辺での交通障害を極力引き起こさないように設定しなければならない。かかる施工条件を緩和するための方策の一つとして、資材仮置き場を、施工空間部も含めて分散状態に設けることが考えられる。
【０００９】
例えば特許文献１記載の貯水槽を構築する際に、資材を施工空間部に設置せんとするときは、図８０に示されている前記空間部ｐ，ｓを資材仮置き場とすることが考えられる。しかし、該空間部ｑ，ｓは、上下に長くしかも幅の狭い空間であるために、該資材仮置き場に資材を吊り下ろしたり、或いは、仮置きされている資材を吊り上げる際に、資材が柱状体列ｅや外枠部ｈに当たらないように作業に慎重さを要して施工能率が悪い問題があった。又、資材の大きさによっては、これを該空間部に収容できない場合も生じた。又、これらの空間部ｐ，ｓを施工管理室として利用せんとする場合も、スペースが狭すぎる問題があった。
【先行技術文献】
【特許文献】
【００１０】
【特許文献１】特開２００７−２３６８７号公報
【発明の概要】
【発明が解決しようとする課題】
【００１１】
本発明は、前記従来の上下二槽型の貯水槽の問題点に鑑みて開発されたものであり、中間仕切り部によって上下に分割された上下二槽型の貯水槽を構築するに際し、土圧に抵抗できる貯水槽を構築できるのは元より該中間仕切り部の施工性向上を期し得る貯水槽構成用の内壁支柱部材及びそれを用いる上下二槽型の貯水槽の提供を課題とするものである。又、広い資材仮置き場や広い施工管理室を施工空間部に好ましい分散状態に設けることを可能として貯水槽の施工能率の向上に寄与する上下二槽型の貯水槽構成用の内壁支柱部材及びそれを用いる上下二槽型の貯水槽の提供を課題とするものである。
【課題を解決するための手段】
【００１２】
前記課題を解決するため、本発明は以下の手段を採用する。
本発明に係る上下二槽型の貯水槽構成用の内壁支柱部材は、上下方向の中間部に中間スラブが配設されることによって中間仕切り部が設けられると共に、上部には上部スラブが配設されることによって貯水槽頂版部が設けられてなる貯水槽を構築するために用いられる貯水槽構成用の内壁支柱部材であって、下支柱部材の上端に上支柱部材が立設状態に連結されてなり、該下支柱部材の左右の立面の上部には、前記中間スラブの端部分を下方から支持する中間受部が設けられると共に、前記上支柱部材の左右の立面の上部には、前記上部スラブの端部分を下方から支持する上部受部が設けられ、且つ、前記上支柱部材の前記左右の立面の下部の両側に位置させて側部支持片が突設されており、該左右の側部支持片は、前記上支柱部材を前記下支柱部材の上端に連結するに際して、前記中間スラブの端部分の上面に、直接に又はライナープレートを介して間接的に載置されていることを特徴とするものである。
【００１３】
前記上下二槽型の貯水槽構成用の内壁支柱部材において、前記上支柱部材の下端部分に、前記下支柱部材の上端で上方に向けて突設された垂直接合筋の夫々を挿入させるための下端開放のスリーブの多数を埋設し、該スリーブの側部にはその上下端側に上下の開口が設け、前記下端部分には、該上下の開口に連通し且つ該下端部分の外面で開放する上下の連通孔を設けるのがよい。
【００１４】
前記上下二槽型の貯水槽構成用の内壁支柱部材において、前記下支柱部材の上面部に支持台部が上方に向けて突設し、該支持台部の上端面としての前記下支柱部材の上端に前記上支柱部材が立設状態に連結される如くなし、前記下支柱部材の上面部の内、該支持台部の左右両側の部分には、前記中間スラブの端部分を下方から支持する中間受部を設け、前記支持台部の上端面が、該中間受部で支持された状態にある前記端部分の上面と面一乃至該上面よりも上方に位置する如くなすのがよい。
【００１５】
本発明に係る上下二槽型の貯水槽は、前記の何れかの上下二槽型の貯水槽構成用の内壁支柱部材を用いて構成されていることを特徴とするものである。
【００１６】
本発明に係る上下二槽型の貯水槽のより具体的な態様は、左右の立面の上下方向の中間部に、中間スラブの端部分を下方から支持する中間受部が設けられると共に、該左右の立面の上部に、上部スラブの端部分を下方から支持する上部受部が設けられてなる内壁支柱部材と、内側の立面の上下方向の中間部に、前記中間スラブの端部分を下方から支持する中間受部が設けられると共に、該内側の立面の上部には、前記上部スラブの端部分を下方から支持する上部受部が設けられてなる、全体が一体に形成された外壁支柱部材とを具えており、前記内壁支柱部材は、その前後の立面としての継手面部相互を当接状態にして一列に並設されることにより内壁支柱部材列を構成し、該内壁支柱部材列が左右方向に所要間隔で並設されることにより内壁支柱部材並列体を構成する如くなされている。又、前記外壁支柱部材は、前記内壁支柱部材並列体を構成する両外端の内壁支柱部材列の外方側において、両端の立面としての継手面部相互を当接状態にして並設されることにより、該内壁支柱部材と所要間隔を置いて外壁支柱部材列を構成する如くなされている。又、前記内壁支柱部材並列体の選択された内壁支柱部材列に関し、これを構成する内壁支柱部材の全部又はその一部は、下支柱部材の上端に上支柱部材が立設状態に連結されてなり、該下支柱部材の左右の立面の上部に、中間スラブの端部分を下方から支持する前記中間受部が設けられると共に、前記上支柱部材の左右の立面の上部には、前記上部スラブの端部分を下方から支持する前記上部受部が設けられ、且つ、前記上支柱部材の前記左右の立面の下部の両側に位置させて側部支持片が突設されており、該左右の側部支持片は、前記上支柱部材を前記下支柱部材の上端に連結するに際して、前記中間スラブの端部分の上面に、直接に又はライナープレートを介して間接的に載置される。そして、前記中間スラブが、同一高さで対向する前記中間受部間に架設され且つ前記端部分が該中間受部に固定されることによって中間仕切り部が設けられる如くなされており、又、前記上部スラブが、同一高さで対向する前記上部受部間に架設され且つ前記端部分が該上部受部に固定されることによって貯水槽頂板部が設けられる如くなされていることを特徴とするものである。
【発明の効果】
【００１７】
本発明によるときは、中間仕切り部によって上下二分割された上下二槽型の貯水槽を構築するに際し、土圧に抵抗できる貯水槽を構築できるのは元より該中間仕切り部の施工性向上を期し得る貯水槽構成用の内壁支柱部材及びそれを用いる上下二槽型の貯水槽を提供できる。又、広い資材仮置き場や広い施工管理室を施工空間部に好ましい分散状態に設けることを可能として貯水槽の施工能率の向上に寄与する上下二槽型の貯水槽構成用の内壁支柱部材及びそれを用いる上下二槽型の貯水槽を提供できる。
【図面の簡単な説明】
【００１８】
【図１】本発明に係る上下二槽型の貯水槽を示す全体斜視図である。
【図２】その一部欠切斜視図である。
【図３】その貯水槽頂版部が構成される前段階を示す斜視図である。
【図４】上下二槽型の貯水槽の一部断面平面図である。
【図５】上下二槽型の貯水槽を単位貯水槽の延長方向で見た断面図である。
【図６】上下二槽型の貯水槽を単位貯水槽の延長方向と直交する方向で見た断面図である。
【図７】内壁支柱部材を示す分解斜視図である。
【図８】内壁支柱部材を示す斜視図である。
【図９】内壁支柱部材の中間受部で中間スラブを支持し、上部受部で上部スラブを支持した状態を示す断面図である。
【図１０】第１の外壁支柱部材を示す斜視図である。
【図１１】第２の外壁支柱部材を示す斜視図である。
【図１２】第３の外壁支柱部材を示す斜視図である。
【図１３】外壁支柱部材の中間受部で中間スラブを支持し、上部受部で上部スラブを支持した状態を示す断面図である。
【図１４】外壁支柱部材と内壁支柱部材とを用いて形成された中間仕切り部と貯水槽頂版部を示す断面図である。
【図１５】上下の連通開口部による上下の単位貯水槽部相互の水の移動状態を示す説明図である。
【図１６】上下の連通開口部を構成する内壁支柱部材を示す斜視図である。
【図１７】形成された上下の連通開口部を示す斜視図である。
【図１８】内壁支柱部材における下支柱部材と上支柱部材との連結構造及び、中間受部と中間スラブの端部分との接合構造を説明する断面図である。
【図１９】上支柱部材の下端部分に設けられているスリーブの構成を示す斜視図と断面図である。
【図２０】第１の中間スラブの一例を示す斜視図である。
【図２１】第２の中間スラブの一例を示す斜視図である。
【図２２】上部スラブを示す斜視図である。
【図２３】内壁支柱部材並列体による中間スラブの支持状態を示す部分斜視図である。
【図２４】上下二槽型の貯水槽の下部枠組の構成を示す斜視図である。
【図２５】止水材が設けられてなる下支柱部材を示す斜視図である。
【図２６】その下支柱部材の継手面部相互を当接させた状態を示す断面図と、下支柱部材の上端面の両側部分で止水材を設けた状態を示す断面図と、下支柱部材の台座部の上下の面部に止水材を設けた状態を示す断面図である。
【図２７】第１の中間スラブと第２の中間スラブの架設によって構成された中間仕切り部を示す部分斜視図である。
【図２８】外壁支柱部材の中間受部と中間スラブの端部分との接合状態を示す断面図である。
【図２９】第２の中間スラブの当接によって構成された欠切開口部を示す斜視図である。
【図３０】下支柱部材の上端に上支柱部材を立設状態に連結する作業工程を示す斜視図である。
【図３１】下支柱部材の上端に上支柱部材を立設状態に連結した後、該上支柱部材と中間スラブとをサポート装置で連結した状態を示す側面図である。
【図３２】その斜視図である。
【図３３】サポート装置の構成を説明する斜視図である。
【図３４】上支柱部材と中間スラブとをサポート装置で連結した状態を示す部分斜視図である。
【図３５】サポート装置の他の態様を示す部分斜視図である。
【図３６】内壁支柱部材の上部受部と上部スラブの端部分との接合構造を示す断面図である。
【図３７】外壁支柱部材の上部受部と上部スラブの端部分との接合構造を示す断面図である。
【図３８】上下二槽型の貯水槽の部分断面図である。
【図３９】上下二槽型の貯水槽内に雨水を導入する構成の一例を示す断面図である。
【図４０】上下の昇降用梯子を貯水槽に設けた状態を示す断面図である。
【図４１】内壁支柱部材の複数個を連結一体化する構成の一例を示す斜視図と正面図と部分断面図である。
【図４２】外壁支柱部材の複数個を連結一体化する構成の一例を示す斜視図と正面図と部分断面図である。
【図４３】内壁支柱部材の複数個や外壁支柱部材の複数個を連結一体化する他の構成を示す断面図である。
【図４４】中間仕切り部の梁状体としての機能を説明する平面図である。
【図４５】下の貯水槽部から上の貯水槽部への水や空気の移動を説明する断面図である。
【図４６】上支柱部材の他の態様を示す斜視図である。
【図４７】その上支柱部材と下支柱部材との接合構造と、下支柱部材の中間受部と中間スラブの端部分との接合構造を示す断面図である。
【図４８】上支柱部材の他の態様を示す斜視図である。
【図４９】その上支柱部材と下支柱部材との接合構造と、下支柱部材の中間受部と中間スラブの端部分との接合構造を示す断面図である。
【図５０】上支柱部材のその他の態様を示す斜視図である。
【図５１】その上支柱部材と下支柱部材との接合構造と、下支柱部材の中間受部と中間スラブの端部分との接合構造を示す断面図である。
【図５２】下支柱部材の上端部分にスリーブを埋設してなる内壁支柱部材を示す分解斜視図である。
【図５３】下支柱部材の上端部分にスリーブを埋設してなる内壁支柱部材の構成を、その中間受部と中間スラブの端部分との接合構造と共に示す断面図である。
【図５４】下支柱部材に中間スラブが設けられてなる内壁支柱部材の他の態様を示す斜視図である。
【図５５】下支柱部材の上端部分にスリーブを埋設してなる内壁支柱部材の構成を、その中間受部と中間スラブの端部分との接合構造と共に示す断面図である。
【図５６】下支柱部材の上端部分にスリーブを埋設してなる内壁支柱部材の他の態様を示す斜視図である。
【図５７】下支柱部材の上端部分にスリーブを埋設してなる内壁支柱部材の構成を、その中間受部と中間スラブの端部分との接合構造と共に示す断面図である。
【図５８】下支柱部材の上端部分にスリーブを埋設してなる内壁支柱部材の他の態様を示す斜視図である。
【図５９】下支柱部材の上端部分にスリーブを埋設してなる内壁支柱部材の構成を、その中間受部と中間スラブの端部分との接合構造と共に示す断面図である。
【図６０】下支柱部材と上支柱部材との連結状態の他の態様を示す正面図と部分断面図である。
【図６１】資材仮置き場や施工管理室を設ける場合の施工工程を示す斜視図である。
【図６２】内壁支柱部材列を構成するに際し、二分割型の内壁支柱部材と一体型の内壁支柱部材とを組み合わせて構成した場合を示す斜視図である。
【図６３】上下二槽型の貯水槽の他の態様を示す平面図である。
【図６４】上下二槽型の貯水槽のその他の態様を示す平面図である。
【図６５】上下二槽型の貯水槽のその他の態様を示す平面図である。
【図６６】第１の中間スラブの他の態様を示す斜視図である。
【図６７】第１の中間スラブのその他の態様を示す斜視図である。
【図６８】第２の中間スラブの他の態様を示す斜視図である。
【図６９】第２の中間スラブのその他の態様を示す斜視図である。
【図７０】第２の中間スラブのその他の態様を示す斜視図である。
【図７１】独立開口部が隣り合わせて設けられてなる第２の中間スラブを示す斜視図である。
【図７２】その使用状態を示す斜視図である。
【図７３】二分割型の内壁支柱部材の第１の中間受部の他の態様を示す斜視図と正面図である。
【図７４】その他の態様を示す斜視図と正面図である。
【図７５】外壁支柱部材の第２の中間受部の他の態様を示す斜視図と側面図である。
【図７６】止水材が設けられてなる上支柱部材の他の態様を示す斜視図である。
【図７７】止水材が設けられてなる第１の外壁支柱部材を示す斜視図である。
【図７８】止水材が設けられてなる第２の外壁支柱部材を示す斜視図である。
【図７９】止水材が設けられてなる第３の外壁支柱部材を示す斜視図である。
【図８０】従来の貯水槽を示す断面図である。
【発明を実施するための形態】
【実施例１】
【００１９】
本発明に係る上下二槽型の貯水槽（以下貯水槽ともいう）１は、例えば図１、図４に示すように、平面視で、後述する単位貯水槽２の延長方向に長い長方形状に構成されており、図５〜６に示すように、中間仕切り部３によって上の貯水槽部５と下の貯水槽部６とに上下に分割されている。そして該貯水槽１は、図２に示すように、プレキャストコンクリート製の内壁支柱部材７と、プレキャストコンクリート製の外壁支柱部材９と、該内壁支柱部材７と該外壁支柱部材９の上下方向の中間部位置に配設されて前記中間仕切り部３を構成するプレキャストコンクリート製の中間スラブ１０と、該内壁支柱部材７と該外壁支柱部材９の上部位置に配設されて貯水槽頂板部１１を構成するプレキャストコンクリート製の上部スラブ１２とを具えている。
【００２０】
前記内壁支柱部材７は、本実施例においては図６に示すように、その全てが、上下二分割型のものであり、図７〜９に示すように、下支柱部材１３の上端１５に上支柱部材１６を立設状態に連結して構成されている。そして該下支柱部材１３は、その左右の立面１７，１９の上部に、前記中間スラブ１０の端部分２０，２０を下方から支持する中間受部２１，２１（以下第１の中間受部２１ａ，２１ａともいう）が設けられると共に、前記上支柱部材１６の左右の立面２２，２３の上部には、前記上部スラブ１２の端部分２７，２７を下方から支持する上部受部２５，２５（以下第１の上部受部２５ａ，２５ａともいう）が設けられている。
【００２１】
又、前記外壁支柱部材９は図１０〜１２、図１３に示すように、全体が一体に形成されると共にその内側の立面２６の上下方向の中間部に、前記中間スラブ１０の端部分２０を下方から支持する中間受部２１（以下第２の中間受部２１ｂともいう）が設けられると共に、該内側の立面２６の上部には、前記上部スラブ１２の端部分２７を下方から支持する上部受部２５（以下第２の上部受部２５ｂともいう）が設けられている。
【００２２】
そして、二分割型の前記内壁支柱部材７は、図２、図４、図５、図２３に示すように、その前後の立面２９，３０としての継手面部３１，３１を互いに当接状態にして１列に並設されることにより内壁支柱部材列３２を構成でき、該内壁支柱部材列３２が左右方向に所要間隔で並列されることにより内壁支柱部材並列体３３を構成できる。又、前記外壁支柱部材９は、図２〜４に示すように、該内壁支柱部材並列体３３を構成する両外端の内壁支柱部材列３２ａ，３２ａの外方側において該内壁支柱部材列３２ａ，３２ａと所要間隔を隔てて、両端の立面３５，３６としての継手面部３７，３７を互いに当接状態にして並設されることにより外壁支柱部材列３９，３９を構成できる。本実施例においては、図１〜２に示すように、前記内壁支柱部材並列体３３の外周の全体を囲むように外壁支柱部材９が並設されることにより、図１〜４に示すように外壁囲枠体４０を構成するようになされている。
【００２３】
又、前記中間スラブ１０が、図１４、図３〜４、図６に示すように、同一高さで対向する前記第１の中間受部２１ａ，２１ａ間に、本実施例においてはその側部４１，４１相互を当接させて架設（図４）されると共に、同一高さにある前記第１の中間受部２１ａと前記第２の中間受部２１ｂ間に、本実施例においてはその側部４１，４１相互を当接させて架設されることによって、前記中間仕切り部３が構成される如くなされている。そして、前記上部スラブ１２が、同一高さで対向する前記第１の上部受部２５ａ，２５ａ間に、側部４２，４２相互を当接させて架設（図２）されると共に、同一高さにある前記第１の上部受部２５ａと前記第２の上部受部２５ｂ間に、側部４２，４２相互を当接させて架設されることによって、図２に示す貯水槽頂板部４０が構成される如くなされている。
【００２４】
かかる構成を有する上下二槽型の貯水槽１は、図２、図５に示すように、隣り合う内壁支柱部材列３２，３２間及び、両外端の内壁支柱部材列３２ａとこれと対向する外壁支柱部材列３９との間に単位貯水槽２が構成されており、各単位貯水槽２は、前記中間仕切り部３によって下の単位貯水槽部４３と上の単位貯水槽部４５に二分割されている。そして図５、図１５に示すように、前記下の貯水槽部６と前記上の貯水槽部５にあって、隣り合う下の単位貯水槽部４３，４３相互、隣り合う上の単位貯水槽部４５，４５相互が、夫々、前記内壁支柱部材列３２の上下に適宜設けた上下の連通開口部４６，４７で連通されている。該連通開口部４６は、図５においては、内壁支柱部材列３２の長さ方向の両側部分と中央部分に設けられている。該上下の連通開口部４６，４７は、図１５に矢印で示すように、隣り合う下の単位貯水槽部４３，４３相互、隣り合う上の単位貯水槽部４５，４５相互で水を行き来させると共に、貯水槽１の内部を清掃する際に人や作業機の出入りを可能とする出入り用開口部としても機能する。
【００２５】
以下、かかる構成を有する上下二槽型の貯水槽１を具体的に説明する。図７〜９は、下支柱部材１３の上端１５に上支柱部材１６を立設状態に連結して構成された内壁支柱部材７の一例を示すものである。該下支柱部材１３は図７、図９に示すように、横断面がＩ字状に形成されており、その上面部４８とその下面部４９は水平面に形成され、その前後の垂直な立面が下の継手面部３１ａ，３１ａとされている。そして、前記下支柱部材１３の上面部４８には支持台部５０が上方に向けて突設されており、該支持台部５０の上端面５１としての前記上端１５に前記上支柱部材１６が立設状態に連結される如くなされている。又、前記下支柱部材１３の上面部４８の内、該支持台部５０の左右両側には、前記中間スラブ１０の端部分２０を下方から支持する中間受部２１，２１が設けられており、前記支持台部５０の上端面５１は、図９に示すように、該中間受部２１で支持された状態にある該端部分２０の上面５２と面一乃至該上面５２よりも上方に位置するようになされている。図９においては、上面５２よりも上方に位置する場合が示されている。
【００２６】
該下支柱部材１３はより具体的には、図７〜９に示すように、矩形板状を呈する下の立壁部５３の左右の立面１７，１９の上部分に、両側に張り出すように上の突出部５５，５５が突設されると共に、該立面１７，１９の下部分に、両側に張り出すように下の突出部５６，５６が突設されている。該下の突出部５６，５６の上面は、外方に向けて下方に傾斜する傾斜面５７，５７として形成されると共に、その下端縁５９，５９に垂直面６０，６０が連設されており、これによって、下支柱部材１３の下端部分には、前後方向で見て山形状を呈する台座部６１が設けられている。本実施例においては、前記垂直面６０の上下方向の中央部位において、前後方向に延長する台形溝部６２，６２が左右対向状態で設けられている。
【００２７】
又、前記上の突出部５５，５５は、図７（Ｂ）に示すように、その下面が、外方に向けて上方に傾斜する傾斜面６３，６３として形成されると共に、その上端縁６５，６５には垂直面６６，６６が連設されている。本実施例においては、前記上の突出部５５，５５の面一の上面が構成する前記上面部４８の左右方向の中央部分において、上方に突出する前記支持台部５０が前後方向に延長して設けられている。そして、該支持台部５０の前後の側面６８，６９は垂直面として構成されており、前記下の立壁部５３の前後の垂直な立面７０，７１の上部分を構成している。又、該支持台部５０の左右の側面７２，７３は垂直面として形成されると共にその上端面５１は水平面として形成されている。そして、かかる構成を有する前記支持台部５０の左右両側には、前記中間スラブ１０の端部分２０，２０を下方から支持する前記中間受部２１，２１（第１の中間受部２１ａ，２１ａ）が設けられており、その上面は、下の水平載置面７５，７５とされている。そして該左右の下の水平載置面７５，７５には、図７、図１８に示すように、前記中間スラブ１０の端部分２０を接合するための接合用ボルト７６（図１８）の下端部分７７がねじ込まれるインサート７９が、前後方向に所要間隔で埋設されている。本実施例においては、図７〜８に示すように、該下の水平載置面７５の両端側部分と中央部分の３箇所で埋設されている。
【００２８】
図１６〜１７の下側部分には、前記下の連通開口部４７を構成するために用いられる下支柱部材１３の一例が示されている。前記下の立壁部５３の前後方向の一方側で略１／２幅部分が欠切されて、上下に長い側部欠切部８０が形成されており、隣り合う側部欠切部８０，８０の合致によって、図１７に示す前記下の連通開口部４７が構成されるようになされている。
【００２９】
一方、前記上支柱部材１６は、図７〜９に示すように、矩形板状を呈する上の立壁部８１の左右の立面２２，２３の上部に上の突出部８８，８８が突設されてなる横断面がＴ字状に構成されており、その上面部８６と下面部８７は水平面に形成されている。そして、該上の立壁部８１の前後長さは、前記下の立壁部５３の前後長さに等しく設定されており、該上の立壁部８１の前後の垂直な立面７８，８４が上の継手面部３１ｂ，３１ｂとされている。又、左右の該上の突出部８８，８８の下面は、外方に向けて上方に傾斜する傾斜面８９，８９として形成されると共に、その上端縁９０，９０には垂直面９１，９１が連設されている。
【００３０】
本実施例においては、図７〜９に示すように、前記上の立壁部８１の下面部８７の左右幅は前記支持台部５０の水平な上端面５１の左右幅に等しく設定されている。そして左右の前記上の突出部８８，８８は、前記上部スラブ１２の端部分２７を下方から支持する前記上部受部２５，２５（第１の上部受部２５ａ，２５ａ）を構成しており、その上面（前記上面部８６の左右両側部分）は上の水平載置面９２，９２とされている。
【００３１】
図１６〜１７の上側部分には、前記上の連通開口部４６を構成するために用いられる上支柱部材１６の一例が示されている。前記上の立壁部８１の前後方向の一方側で略１／２幅部分が欠切されて、下端開放の上下に長い側部欠切部９３が形成されており、隣り合う側部欠切部９３，９３の合致によって前記上の連通開口部４６が構成されるようになされている。
【００３２】
然して図８に示すように、該上支柱部材１６の下面部８７を前記支持台部５０の水平な上端面５１に位置合わせして載置することにより、該支持台部５０の左右の側面７２，７３は、前記上支柱部材１６の上の立壁部８１の左右の立面２２，２３に夫々、垂直に一連に連なり、全体として垂直面を呈する。
【００３３】
又、該左右の上の水平載置面９２，９２には、図８、図３６に示すように、前記上部スラブ１２の端部分２７を接合するための接合用ボルト７６の下端部分７７がねじ込まれるインサート７９が、前後方向に所要間隔で埋設されている。本実施例においては、図７〜８に示すように、該上の水平載置面９２の両端側部分と中央部分の３箇所で埋設されている。
【００３４】
図８は、かかる構成を有する上支柱部材１６の下面部８７を前記支持台部５０の上端面５１に位置合わせして載置して構成された内壁支柱部材７を示すものである。かかる構成を有する内壁支柱部材７の、上下連続する前後の垂直な立面は継手面部３１，３１とされている。該継手面部３１は、前記下の継手面部３１ａの上端に上の継手面部３１ｂが垂直に一連に連なって形成されている。
【００３５】
ここで、下支柱部材１３の上端１５に上支柱部材１６を立設状態に連結するための連結手段の一例を説明する。本実施例においては図７、図１８、図１９（Ａ）（Ｂ）に示すように、前記支持台部５０の上端面５１の左右両側に位置させて、前後方向に所要間隔で多数本の垂直接合筋９５，９５を突設状態としておく。一方、前記上の立壁部８１の下端部分９６には、該垂直接合筋９５の夫々を挿入させるためのスリーブ９７の多数個が、その下端９８を前記下面部８７で開放させて埋設されている。該スリーブ９７の挿入孔９９の内径は、前記垂直接合筋９５の径よりも稍大きい。そして、該スリーブ９７の側部１００には、図１８〜１９に示すように、その上下端側に上下の開口１０１，１０２が設けられている。前記垂直接合筋９５の径は例えば２２ｍｍに設定されると共に、前記スリーブ９７の内径は例えば３５ｍｍに設定されている。
【００３６】
そして前記上の立壁部８１の下端部分９６には、図１８〜１９に示すように、該上下の開口１０１，１０２に連通し且つ前記左右の立面２２，２３（該下端部分９６の外面）で開放する上下の連通孔１０３，１０５が水平状態に設けられている。然して、前記挿入孔１００に前記垂直接合筋９５が挿入された状態で、該下の連通孔１０５に、図示しない充填装置の注入パイプを差し込み、該注入パイプと前記下の連通孔１０５を介して、図１９（Ｂ）に矢印で示すように、前記挿入孔９９に所要圧力で無収縮モルタルやグラウト等の充填材１０７を注入する。この注入により該充填材１０７は、前記上の連通孔１０３の上の開放端１０９から排気されつつ行なわれ、該充填材１０７が該開放端１０９から漏れ出たことを以て、前記スリーブ９７内に充填材１０７が充填されたことを確認できる。その後、図１８に示すように、前記上下の開放端１０９，１０６を栓１１０，１１０で塞ぐ。このようにして充填された充填材１０７が硬化することにより、下支柱部材１３の上端１５に上支柱部材１６が安定した立設状態で連結されて前記内壁支柱部材７が構成されることとなる。
【００３７】
かかる連結によって構成された内壁支柱部材７は、前記下支柱部材１３の前記継手面部３１ａと前記上支柱部材１６の前記継手面部３１ｂとが垂直に連なることによって、上下方向に延長する前記継手面部３１（図８）が形成される。
【００３８】
かかる構成を有する内壁支柱部材７の上下高さは例えば７５５０ｍｍに設定される。又、前記下の水平載置面７５の高さは例えば３５５０ｍｍに設定されると共に、前記上の水平載置面９２の高さは、例えば７５５０ｍｍに設定される。そして、内壁支柱部材７の下面１１２（図８）の左右幅は例えば１０００ｍｍで、その上面１１１（図８）の左右幅は例えば９００ｍｍに設定されている。又、かかる構成を有する内壁支柱部材７の前後方向の長さは、構築すべき貯水槽の容量を考慮して２種類とされ、例えば１５００ｍｍのものと１０００ｍｍのものである。
【００３９】
前記外壁支柱部材９には、貯水槽中間部分に位置する第１の外壁支柱部材９ａと、貯水槽コーナ部１１４に位置する第２の外壁支柱部材９ｂと、前記内壁支柱部材列３２の端部に連なる第３の外壁支柱部材９ｃの３種類がある。
【００４０】
該第１の外壁支柱部材９ａは、図１０に示すように、上下方向に長い矩形板状を呈する一体物の立壁部１１３の内側の立面２６の上部と下部に上下の突出部１１５，１１６が突設され、又、該内側の立面２６の中間部には中間の突出部１１９が設けられている。該第１の外壁支柱部材９ａは、全体として、縦断面がＥ字状に形成されている。そして、その上面１２０と下面１２１が水平面に形成されると共に、前記立壁部１１３の両端の垂直な立面１２２，１２３が継手面部１２５，１２５とされている。
【００４１】
該下の突出部１１６は、その上面が、内方に向けて下方に傾斜する傾斜面１２６として形成されると共にその下端縁１２７に垂直面１２９が連設されており、台座部１２８を構成する。本実施例においては、該垂直面１２９の上下方向の中央部分において、前後方向に延長する台形溝部１３０が設けられている。
【００４２】
又前記上の突出部１１５は、その下面が、内方に向けて上方に傾斜する傾斜面１３１として形成されると共に、その上端縁１３２には垂直面１３３が連設されている。該上の突出部１１５は前記上部スラブ１２の端部分２７を下方から支持する前記上部受部（第２の上部受部２５ｂ）２５を構成し、その上面は上の水平載置面１３５とされており、該上の水平載置面１３５は、前記第１の上部受部２５ａの上の水平載置面９２と同高さに設定されている。
【００４３】
又前記中間の突出部１１９は、その下面が、内方に向けて上方に傾斜する傾斜面１３６として形成されると共にその上端縁１３７に垂直面１３９が連設され、その上端縁１３７には、前記内側の立面２６に向かう水平面１４０が連設されている。該中間の突出部１１９は、前記中間スラブ１０の端部分２０を下方から支持する前記中間受部（第２の中間受部２１ｂ）２１を構成し、その上面は下の水平載置面１４１を構成しており、前記第１の中間受部２１ａの前記下の水平載置面７５と同高さに設定されている。
【００４４】
前記第２の外壁支柱部材９ｂは、貯水槽のコーナ部１１４に配設されるものであり、図１１に示すように、横断面Ｌ字状を呈する立壁部１４２の内側の立面２６の上部と上下方向の中間部と下部の夫々に、上の突出部１４３と中間の突出部１４５と下の突出部１４６が突設され、上面１４７と下面１４９は水平面に形成され、両端の垂直な立面が継手面部１２５，１２５とされている。
【００４５】
そして、該下の突出部１４６によって台座部１２８が形成されており、前記中間の突出部１４５は、平面視でＬ字状を呈している。又、前記上の突出部１４３は平面視でＬ字状を呈している。又、前記中間の突出部１４５は、前記中間スラブ１０の端部分（コーナ部分）２０を下方から支持する前記中間受部（第２の中間受部２１ｂ）２１を構成しており、その水平面は下の水平載置面１４１とされている。そして、該下の水平載置面１４１は前記第１の中間受部２１ａの下の水平載置面７５と同高さに設定されている。又、上の突出部１４３は、前記上部スラブ１２の端部分２７を下方から支持する前記第２の上部受部２５ｂとされており、その水平な上面が上の水平載置面１３５とされている。該上の水平載置面１３５は、前記第１の上部受部２５ａの上の水平載置面９２と同高さにある。
【００４６】
前記第３の外壁支柱部材９ｃは、図１２に示すように、上下方向に長く一体に形成された矩形板部１５５の内側の立面２６の幅方向の中央部分に、上下方向に連続する継手突条部１５６を一体に突設してなるＴ字状を呈する立壁部１５７を具えている。そして、該継手突条部１５６と該矩形板部１５５とが構成する左右の入隅部分１５９，１５９を仕切るように、該Ｔ字状の立壁部１５７の下部の左右に下の突出部１６０，１６０が設けられると共に、該Ｔ字状の立壁部１５７の上下方向の中間部に左右の中間の突出部１６１，１６１が突設されており、又、該Ｔ字状の立壁部１５７の上部に、左右の上の突出部１６２，１６２が突設されている。
【００４７】
これによって、該第３の外壁支柱部材９ｃは、その両端の垂直な立面が継手面部１２５，１２５とされると共に、前記継手突条部１５６の垂直な先端面が、前記内壁支柱部材列３２の垂直な端面１６６に当接し得る垂直な継手面部１２５とされている。
【００４８】
前記左右の下の突出部１６０，１６０は、第３の外壁支柱部材９ｃの台座部１２８を構成する。そして、前記左右の中間の突出部１６１，１６１は、前記第２の中間受部２１ｂ，２１ｂを構成しており、その水平な上面は、前記中間スラブ１０の端部分２０（コーナ部分）を載置する下の水平載置面１４１とされている。該下の水平載置面１４１は、前記第１の中間受部２１ａの下の水平載置面７５と同高さに設定されている。
【００４９】
又、前記左右の上の突出部１６２，１６２は、前記第２の上部受部２５ｂ，２５ｂを構成しており、その水平な上面は、前記上部スラブ１２の端部分２７（コーナ部分）を載置する上の水平載置面１３５とされている。該上の水平載置面１３５は、前記第１の上部受部２５ａの上の水平載置面９２と同高さに設定されている。
【００５０】
前記中間スラブ１０には２種類がある。第１の中間スラブ１０ａは図２０に示すように、矩形板状に形成されており、その長辺１６９の長さは例えば４５６０ｍｍに設定されると共にその短辺１７０の長さは２５００ｍｍに設定され、その厚さ（上下方向で見た厚さ）は３００ｍｍに設定されている。又、該第１の中間スラブ１０ａの短辺側部分１７１，１７１には、前記接合用ボルト７６を挿通させるための接合用貫通孔１７２が該短辺１７０の延長方向に並設されている。本実施例においては５個が並設されている。該接合用貫通孔１７２は、本実施例においては図１８、図２８に示すように、下端１７３から上端１７５に向けて拡大し且つ短辺１７０の延長方向に稍長い、平面視で楕円形状を呈するテーパ孔として形成されており、その下端１７３の孔径は、前記接合用ボルト７６の径よりも大きく設定されている。例えば、前記接合用ボルト７６の径が２２ｍｍに設定されると共に前記下端１７３の短軸長さが３４ｍｍに設定されている。
【００５１】
又、第２の中間スラブ１０ｂは、図２１に示すように、矩形板状を呈する前記第１の中間スラブ１０ａの長辺側（両側部分）１７６，１７６の中央部分が内側に欠切されることによって、欠切開口部１７７，１７７が形成された形態を有している。本実施例においては、内側に対称形態で凹むように五角形の山形に大きく欠切されることにより該欠切開口部１７７，１７７が形成されている。該欠切開口部１７７，１７７の、直線状を呈する先端縁部１７９，１７９間は、前記長辺１６９の延長方向（前記内壁支柱部材列３２の延長方向と直交する方向）に長い、例えば５００ｍｍ幅の細幅の繋ぎ板部１８０とされており、該繋ぎ板部１８０は、両側の幅広部１８１，１８１を繋いでいる。
【００５２】
又前記上部スラブ１２は、図２２に示すように矩形板状に形成されており、その長辺１８２の長さは例えば４７３０ｍｍに設定されると共に、その短辺１８３の長さは例えば２５００ｍｍに設定されている。そして、該短辺側部分１８５，１８５には、前記中間スラブ１０におけると同様の構成で、前記接合用ボルト７６を挿通させるための接合用貫通孔１７２が該短辺の延長方向に並設されている。
【００５３】
次に、前記構成を有する内壁支柱部材７と外壁支柱部材９と中間スラブ１０と上部スラブ１２とを用いて前記上下二槽型の貯水槽１を構築する施工工程を説明する。
【００５４】
先ず図５、図１４に示すように、貯水槽を構築すべき場所を掘削して形成した施工空間部の底部に基礎コンクリート１８６を形成した後、例えば図２４〜２５に示すように、前記下支柱部材１３を、その前後の継手面部３１ａ，３１ａを互いに当接状態にして一列に並設することにより下支柱部材列１８７を構成する。本実施例においては、一方の継手面部３１ａ１に、例えば図２５〜２６に示すようにＩ字状等に止水材（１５ｍｍ幅）１８９を付設しておくのがよい。該止水材１８９の付設は、例えば、ブチルゴム製等の帯状片を接着して行なうことの他、エポキシ樹脂やウレタン樹脂等の止水性の樹脂を塗布して行なうこともできる。このように止水材１８９を介在させる場合も、前後の継手面部３１ａ，３１ａを互いに当接状態にした場合に該当する。このように止水材１８９を介在させれば、図２４、図２６（Ａ）に示すように下支柱部材列１８７が構成された状態で、前後の継手面部３１ａ，３１ａ間に進入した貯留水が基礎部分に漏洩するのをより確実に防止できることになって好ましい。図２５、図２６（Ｂ）においては、前記上端面５１に、前記インサート７９を左右から挾むように止水材１８９，１８９が配設されているが、該止水材１８９，１８９は、前記接合用貫通孔１７２に充填材１０７を充填した際に（図１８）この充填材１０７が漏れるのを極力防止する。又、前記台形溝部６２，６２を挾んだ上下の面部２３２，２３２にも、図２５、図２６（Ｃ）に示すように、水平状態で止水材１８９が付設されている。このように構成した該下支柱部材列１８７を左右方向に所要間隔で並設することにより、図２４に示すように、下支柱部材並列体１９０を構成する。該下支柱部材列１８７，１８７間の間隔は、例えば４６００ｍｍ程度に設定する。
【００５５】
その後、例えば図３、図６、図１３、図２４に示すように、前記外壁支柱部材９を、前記下支柱部材並列体１９０を構成する両外端の下支柱部材列１８７ａ，１８７ａの外方側において、前記継手面部３７，３７相互を当接状態にして並設することにより両側の外壁支柱部材列１８４，１８４を形成する。
【００５６】
本実施例においては、前記外壁支柱部材９を、前記下支柱部材並列体１９０の外周を囲むように、前記継手面部３７，３７相互を当接状態にして並設することにより前記外壁囲枠体４０を構成する。
【００５７】
この際、図３〜４、図１１、図２４に示すように、貯水槽１のコーナ部１１４，１１４，１１４，１１４に、前記第２の外壁支柱部材９ｂを前記内側の立面（入隅部）２６を内側に向けて立設状態とする。又、所要幅寸法を有する前記第３の外壁支柱部材９ｃを、前記継手突条部１５６の継手面部１２５を前記下支柱部材並列体１８７の端部に位置する下支柱部材１３ａの継手面部３１ａ（前記垂直な端面１６６）と当接させて立設状態とする。そして、前記貯水槽１の長辺側においては、コーナ部１１４，１１４に位置する前記第２の外壁支柱部材９ｂ，９ｂ間に、前記第１の外壁支柱部材９ａを、前記内側の立面２６を内方に向けて、且つ、隣り合う第１の外壁支柱部材９ａ，９ａの前記継手面部３７，３７相互を当接状態にして立設する。又、前記貯水槽１の短辺側においては、コーナ部１１４，１１４に位置する前記第２の外壁支柱部材９ｂと前記第３の外壁支柱部材９ｃとの間及び、隣り合う第３の外壁支柱部材９ｃ，９ｃ間に、所要幅寸法を有する前記第１の外壁支柱部材９ａを、その内側の立面２６を内方に向けて且つ継手面部３７，３７相互を当接状態にして立設する。
【００５８】
これにより図２４に示すように、構成された外壁囲枠体４０の内側に、それよりも高さの低い下支柱部材並列体１９０の複数列が配設されてなる、貯水槽の下部枠組１９１が構成されることになる。
【００５９】
その後、図１４、図３〜４、図２７、図２３に示すように、前記中間スラブ１０を、同高さで対向する前記第１の中間受部２１ａ，２１ａ間に、その側部４１，４１相互を当接させて架設する（図４）と共に、同高さにある前記第１の中間受部２１ａと前記第２の中間受部２１ｂとの間に、側部４１，４１相互を当接させて架設することによって、前記中間仕切り部３を構成できる。
【００６０】
該中間スラブ１０の架設は、図１４に示すように、その両端部分２０，２０を、前記下の水平載置面７５，７５、７５，１４１に載置して行なわれる。このようにして載置した状態で、図１８に示すように、前記支持台部５０の上端面５１が、該端部分２０の上面５２と面一乃至該上面５２よりも上方に位置する。本実施例においては、該上面５２よりも稍上方に位置する。この載置の際、図１８、図２８に示すように、前記第１、第２の載置面７５，１４１で立設されている接合用ボルト７６を前記接合用貫通孔１７２に挿入させ、その後、該接合用貫通孔１７２内に、無収縮モルタルやグラウト等の充填材１０７を充填する。該充填材１０７の硬化によって該端部分２０を中間受部２１に固定できる。そして、該中間スラブ１０の端面部１９５と前記支持台部５０の左右の側面７２，７３との間に例えば７０ｍｍ程度の溝幅を有する間隙部分１９６が形成される。このような大きな溝幅を有する間隙部分１９６を形成することにより、前記中間スラブ１０や下支柱部材１３等の製造誤差、施工誤差が生じた場合にこれを吸収できるのは元より、これらの誤差が生じたときも、該間隙部分１９６に前記充填材１０７を確実に充填でき、該中間スラブ１０と前記支持台部５０とを一体化できることになる。
【００６１】
本実施例においては図４に示すように、貯水槽１の、前記内壁支柱部材列３２の延長方向Ｆ１で見た両端側の部分で架設される中間スラブ１０の、該延長方向と直交する方向Ｆ２に延長する４列分については、図２０に示す矩形板状を呈する前記第１の中間スラブ１０ａを用いることとし、これにより、中間仕切り部３の両側部分１９９，１９９に、水平な平坦面部を形成するようになされている。そして該両側部分１９９，１９９間２００には、図２１に示す第２の中間スラブ１０ｂが架設されており、前記内壁支柱部材列３２の延長方向Ｆ１で見て隣り合う欠切開口部１７７，１７７の合致によって、図４、図２９に示すように、例えば亀甲状を呈する比較的大きな前記点検用開口部２０１が形成されるようになされている。これにより、図３、図２７に示すように、外壁囲枠体４０の内側に、上面２０２が水平である前記中間仕切り部３が形成された状態が得られる。
【００６２】
その後、図２３、図８〜９に示すように、前記下支柱部材１３の上端１５に前記上支柱部材１６を立設状態に連結することによって前記内壁支柱部材７を構成でき、これによって前記内壁支柱部材列３２を形成できる。
【００６３】
これらによって、図２〜４に示すように、前記両側の外壁支柱部材列１８４，１８４によって貯水槽１の長辺側の側面板部１８８が構成されると共に、前記対向する第２の外壁支柱部材９ｂ，９ｂ間に立設された第１の外壁支柱部材９ａと第３の外壁支柱部材９ｃとによって貯水槽１の短辺側の端面板部２０３が構成される。なお、前記のようにして外壁囲枠体４０を構成する際、前記下支柱部材列１８７を図２４に示す左側から右側に向けて延長するように構成するときは、先ず、図２４に示す左側の端面板部２０３を形成するのがよい。
【００６４】
次に、前記下支柱部材１３の上端１５に前記上支柱部材１６を立設状態に連結する要領を図１８、図３０〜３４に基づいて説明する。先ず図３０に示すように、該上支柱部材１６をクレーンで吊り下ろして前記下支柱部材１３の上端（本実施例においては前記支持台部５０の上端面５１）１５に載置する。その際、前記垂直接合筋９５の夫々を、対応の前記スリーブ９７の挿入孔９９（図１８）に挿入すると共に、該上支柱部材１６の垂直状態を調整し且つこの調整状態を保持する。そのために、例えば図３１〜３４に示すように、該上支柱部材１６の左右両側において、両側の中間スラブ１０，１０の上面２０５，２０５と該上支柱部材１６の左右の立面２２，２３とを、長さ調整可能なサポート装置２０４，２０４を用いて連結するのがよい。該サポート装置２０４は、図３３〜３４に示すように、該立面２２，２３と該中間スラブ１０の上面２０５に固定される掛着部材２０６，２０６と、長さ調整可能なサポート軸２０７とから構成されており、該掛着部材２０６は、前記上面２０５、前記立面２２，２３に埋設されたインサート２０９に螺合される固定ボルト２１０で固定された取付板２１１に、Ｕ字状係合片２１２の両端部分２１３，２１３を固定して構成されている。
【００６５】
又該サポート軸２０７は、両端部分が逆ネジのネジ筒部２１５，２１５として形成されたパイプ部材２１６と、逆ネジである該両ネジ筒部２１５，２１５に螺合されるネジ軸部材２１７と、該ネジ軸部材２１７の端部に設けられて前記Ｕ字状係合片２１２に引っ掛けられるフック部材２１９とを具えており、該ネジ筒部２１５，２１５に対する該ネジ軸部材２１７の螺合状態を調整することによって該サポート軸２０７の長さを調整可能となされている。なお前記掛着部材２０６，２０６は、例えば図３５に示すような、アイボルト２０６ａを用いて構成する等、掛着可能な各種部材を用いて構成できる。
【００６６】
然して、上下のフック部材２１９，２１９を上下のＵ字状係合片２１２，２１２に引っ掛けた状態で前記パイプ部材２１６を所要量回転させることにより、左右のサポート装置２０４，２０４によって前記上支柱部材１６の垂直状態を調整でき、この調整状態を図３１〜３２に示すように保持できる。このようにして上支柱部材１６を垂直に立設した状態で、図１８に示すように、前記スリーブ９７内に、前記要領により無収縮モルタルやグラウト等の充填材１０７を充填する。併せて、前記間隙部分１９６にも該充填材１０７を充填する。該左右のサポート軸２０７，２０７は、該充填材１０７が硬化した後に取り外される。
【００６７】
その後、図１４に示すように、前記上部スラブ１２を、同一高さで対向する前記第１の上部受部２５ａ，２５ａ間に、側部２２０，２２０相互を当接させて（図２）架設すると共に、同一高さにある前記第１の上部受部２５ａと前記第２の上部受部２５ｂとの間に、側部２２０，２２０相互を当接させて架設する。この架設は、該上部スラブ１２の端部分２７を前記上の水平載置面９２，９２，１３５に載せて行なわれる。この載置の際、図３６、図３７に示すように、前記接合用ボルト７６を前記接合用貫通孔１７２に挿入し、該接合用貫通孔１７２内に無収縮モルタルやグラウト等の充填材１０７を充填する。該充填材１０７の硬化によって、該端部分２７を該第１、第２の上部受部２５ａ，２５ｂに固定できる。この上部スラブ１２の架設によって貯水槽頂板部１１が構成される。これにより、前記単位貯水槽２が並設され、該単位貯水槽２が上下の単位貯水槽部５，６に分割されており、全体として上下の貯水槽部５，６を具える貯水槽（図２、図５、図６）１が構築される。
【００６８】
本実施例においては、図１４に示すように、上部スラブ１２の架設によって、前記上支柱部材１６の上面部８６には、隣り合う上部スラブ１２，１２の向き合う端面部２２１，２２１間に、例えば２７０ｍｍ程度の溝部分２２２が形成されるようになされている。又、前記外壁囲枠体４０の上面部分には、上部スラブ１２の端面部２２１の外側に、例えば４５０ｍｍ程度の幅を有する凹部２２３が周方向に連続して形成されるようになされている。然して図５〜６、図１４に示すように、架設された上部スラブ１２の上面２２５及び前記溝部分２２２、前記凹部２２３にコンクリートを現場打ちして現場打ち部２２６を形成し、その上に盛土した後、その上にアスファルト舗装をする等すれば、貯水槽の上部空間を公園や駐車場等として利用できることとなる。
【００６９】
ここで前記貯水槽１を構築する際の施工工程について補足説明すれば以下の通りである。図３８は、貯水槽１の底部２２７（図５〜６、図９、図１３〜１４、図１５、図２３〜２４）を形成するに際して、隣り合う内壁支柱部材列３２，３２の台座部６１，６１間、内壁支柱部材列３２の台座部６１と外壁支柱部材列３９の台座部１２８との間に底部コンクリート２３０を打設した状態を示すものである。この打設に先立って、該台座部６１，６１間に適宜の配筋２３１が施されるのであるが、そのために例えば図３８に示すように、前記下支柱部材１３の台座部６１を構成する前記垂直面６０（図８）の前記台形溝部６２を挟む上下の面部２３２，２３２（図８）に水平突出し筋２３３，２３３を突設しておき、或いは、施工現場において、該上下の面部２３２，２３２に埋設したインサートに水平突出し筋２３３の端部分をねじ込んでおく。そして、対向する水平突出し筋２３３，２３３相互が繋ぎ筋２３９で適宜連結される。
【００７０】
又、前記上部スラブ１２上に前記現場打ち部２２６を形成するに先立って配筋するに際しては、前記上部スラブ１２，１２間に形成された溝部分２２２において、水平突出部２４０を有する屈曲突出筋２４１を突設すると共に、前記外壁支柱部材９の前記凹部２２３において、水平突出部２４３を有する屈曲突出筋２４５を突設する。そして、前記上部スラブ１２の端部分２７を、該水平突出部２４３と前記上面１２０との間に挿入状態とする。その後、対向する水平突出部２４０，２４３相互が繋ぎ筋２４６で適宜連結される。
【００７１】
又、貯水槽１内への雨水の導入の構成の一例を説明すれば、図１、図３９において符号２４７（その他の図では記載していない）は、貯水槽１の一方の長辺側２４９で且つ一方の短辺側２５０に寄せて設けられた雨水導入用のスロープである。該スロープ２４７は、傾斜部２５１が上下の貯水槽部５，６に跨がるように、他方の短辺側２５２に向けて下方に傾斜して設けられており、その下端部分２５３が貯水槽１の底面２５５上に設置されている。又、該スロープ２４７の水平な上端部分２５６は、前記一方の短辺側２５０に設けられた流入管２５７に連設されている。そして、該流入管２５７から貯水槽１内に導入された雨水は、該貯水槽１において一時的に貯留された後、貯水槽１の下部に設けられた流出管２５９から河川等に自然流出可能となされる。或いは、ポンプで強制的に排出される。そのためのポンプ室は、貯水槽の内部や外部に設置できる。
【００７２】
又図４０において符号２６０は、貯水槽１の上部に設けられたマンホールであり、該マンホール２６０に連なるように、上下の貯水槽部５，６に上下の昇降用梯子２６１，２６２が設けられている。貯水槽底部の清掃等の貯水槽維持管理に際しては、作業者が、前記中間仕切り部３に設けた出入用開口部２６３を通して該上下の昇降用梯子２６１，２６２を伝って昇降できる。
【００７３】
そして、前記内壁支柱部材列３２や前記外壁支柱部材列３９を構成する際にその全体を連結一体化するに際して、又、前記内壁支柱部材列３２とその両端に配置される外壁支柱部材９，９とを連結一体化するに際しては、例えば図４１、図４２に示すように、内壁支柱部材７や外壁支柱部材９にその上下方向で所要間隔で設けられた挿通孔２６５を挿通する長いＰＣ鋼棒２６６ａを用い、全体を連結一体化する。
【００７４】
図４１はその一例を示すものであり、内壁支柱部材７の４〜５個を単位として、これらを長いＰＣ鋼棒２６６ａを用いて連結一体化した状態を示している。図４１（Ｂ）（Ｃ）に示すように、該長いＰＣ鋼棒２６６ａの両端部分はネジ軸部２６７，２６７とされており、該長いＰＣ鋼棒２６６ａが、例えば５個の内壁支柱部材７，７，７，７，７の夫々に設けた挿通孔２６５に挿通せしめられると共に前記ネジ軸部２６７，２６７の先側部分が、前記立面に凹設された凹部２７０，２７０に収容される。この状態で、該ネジ軸部２６７，２６７にナット２７１，２７１が螺合され締め付けられることによって所要個数の内壁支柱部材７の全体が一体化されるようになされている。
【００７５】
図４２は、外壁支柱部材９の４〜６個を単位として、その全体を長いＰＣ鋼棒２６６ａを用いて同様にして連結一体化した状態を示している。そして、前記内壁支柱部材列３２と外壁支柱部材９との連結一体化も、長いＰＣ鋼棒２６６ａを用いて同様に行なうことができる。このようにして連結一体化する際、連結状態をより安定化させるために、図４１〜４２に一点鎖線で示すように、前記凹部２７０内で向き合う状態に突設された前記ネジ軸部２６７，２６７相互を長ナット２４８で連結して、隣り合う長いＰＣ鋼棒２６６ａ，２６６ａ、２６６ｂ，２６６ｂを一体化するのがよい。
【００７６】
図４３は、前記内壁支柱部材７，７相互や前記外壁支柱部材９，９相互を１本の短いＰＣ鋼棒２６６ｂを用いて連結する連結手段を示すものである。該短いＰＣ鋼棒２６６ｂは、内壁支柱部材７や外壁支柱部材９にその上下方向で所要間隔で設けられた挿通孔２６５に挿通せしめられると共に、該内壁支柱部材７の前記継手面部３１，３１の長手中央線に沿って設けられた連結条溝２５４，２５４で突出状態とされる。そして、該連結条溝２５４において順次長ナット２５８で連結され、このように連結一体化された短いＰＣ鋼棒２６６ｂの両端部分２６４，２６４にナット２６８，２６８が螺合され締め付けられることによって、所要個数の内壁支柱部材７の全体、所要個数の外壁支柱部材９の全体が連結一体化されるようになされている。
【００７７】
かかる構成を有する貯水槽１にあっては、一体に構成された前記外壁支柱部材９が土圧を安定的に支持できる。又、前記内壁支柱部材列３２や、前記貯水槽頂板部１１、前記中間仕切り部３が梁状体２７４（図４４）として機能することにより、貯水槽１に作用する水平方向の土圧を効果的に分散状態で支持できる。これらによって、前記の各外壁支柱部材９が土圧によって撓み変形するのを防止でき、土圧に対する抵抗力の大なる貯水槽を構築できることとなる。
【００７８】
又、かかる構成の貯水槽にあっては、立設された下支柱部材１３の上側を、例えば図３に示すように解放空間となし得るため、上支柱部材１６を立設するに先立って、広い作業スペースを確保して前記中間スラブ１０を障害なく容易に架設でき、これによって中間仕切り部３を能率的に構成できることとなる。その後、前記上支柱部材１６を下支柱部材１３の上端１５に立設状態に連結するのであるが、該立設施工は、該中間仕切り部３を足場にして能率良くしかも安全に行なうことができる。
【００７９】
加えて、該下支柱部材１３を立設した状態で且つ、中間スラブ１０を架設する前の段階においては、隣り合う前記下支柱部材列３２，３２間の空間部分２７２（例えば図２４）を、鉄筋や生コン等の資材仮置き場として活用できると共に、中間仕切り部３を形成した後は、該中間仕切り部３の上面２７３（図３、図２７）に広い資材仮置き場を形成できることになる。
【００８０】
更には、該空間部分２７２や該中間仕切り部３の上面２７３に広い施工管理室を設けることができる。このような中間仕切り部３の上面２７３は、前記下支柱部材１３の上端１５に上支柱部材１６を立設状態に連結する際に、上支柱部材１６を連結をしない部分を適当に作ることにより、該上面２７３上の適所に、施工の容易化を図るための広い資材仮置き場や広い施工管理室を設けることも容易となる。
【００８１】
又、梁状体２７４として機能する前記中間仕切り部３には、隣り合う前記欠切開口部１７７，１７７の合致によって大きな点検用開口部２０１が形成されているが、該点検用開口部２０１は、貯水槽底部２７５（図５〜６）の土砂の堆積状態等を点検する際に利用できる。作業者は、該中間仕切り部３の前記繋ぎ板部１８０（図４）の上等を歩行して、該点検用開口部２０１を通して貯水槽底部２７５の土砂の堆積状態等を点検できるのである。なお、該歩行の際の安全確保のため、該繋ぎ板部１８０の両側等に転落防止柵を設けるのがよい。
【００８２】
又該点検用開口部２０１は、図４５に矢印で示すように、上下の貯水槽部５，６を連通させて、水や空気の移動を可能とする。然して、下の貯水槽部６への水の流入の際に、該点検用開口部２０１を通して上の貯水槽部５への空気抜きが円滑に図られるため、下の貯水槽部６への水の流入を円滑に行なわせることができる。そして、この下の貯水槽部６での水の移動は、前記下の連通開口部４７を通して行なわれる。下の貯水槽部６が満杯になった後は、該点検用開口部２０１を通して、上の貯水槽部５への水の流入が行なわれることとなる。該上の貯水槽部５での水の移動は、前記上の連通開口部４６を通して行なわれる。
【００８３】
更に前記第２の中間スラブ１０ｂは、前記欠切開口部１７７が設けられている分だけ鉄筋やコンクリートの使用量を削減できるので、その製造コストの低減を期し得ると共に、コンクリートや鉄筋量を削減した分だけ軽量となるのでその取扱性もよくなる。
【００８４】
前記中間仕切り部３は前記のように、梁状体２７４としての機能の他に、前記のように点検作業者の通路としても機能し、前記点検用開口部２０１を通して貯水槽底部２７５の土砂の堆積状態等の点検を可能とする機能も奏するのであるが、該中間仕切り部３を、欠切開口部１７７が設けられてなる前記第２の中間スラブ１０ｂのみを以て構成するときは、貯水槽１が強度不足になる場合がある。
【００８５】
そこで本実施例においては、図４に示すように、中間仕切り部３の両側部分１９９，１９９においては、欠切開口部１７７が設けられていない矩形板状を呈する第１の中間スラブ１０ａのみを架設することとし、該両側部分１９９，１９９間２００においてのみ第２の中間スラブ１０ｂを架設することとしている。これによって、該中間仕切り部３の梁状体２７４としての機能がより効果的に発揮されて、貯水槽１の長さ方向及び幅方向での土圧をより安定的に支持でき、貯水槽１の強度を所要に確保できることとなる。なお、中間仕切り部３の両側部分１９９，１９９における該第１の中間スラブ１０ａの、前記延長方向Ｆ１（図４）で見た並置列２６８の数は、前記端面板部２０３を構成する外壁支柱部材９に作用する土圧の大きさを考慮して所要に設定する。図４においては、第１の中間スラブ１０ａの並置列の数を４列としているが、３列若しくは５〜６列に設定することもある。
【００８６】
次に、このように構成した場合に中間仕切り部３が奏する梁状体２７４の機能について、より具体的に説明する。先ず、前記側面板部１８８を構成する両外端の外壁支柱部材列３９，３９を構成する各外壁支柱部材９は、図４、図４４に示すように、前記中間仕切り部３の前記延長方向Ｆ１に直線状に連続する連続支持側面２７６で支持されている。これによって、各外壁支柱部材９の内面部２７７はその全幅に亘って、該連続支持側面２７６で安定的に支持されることになる。
【００８７】
加えて、前記中間仕切り部３には、前記延長方向Ｆ１と直交する方向Ｆ２に直線状に連続すると共にその両端部２７８，２７８が前記両外壁支柱部材列３９，３９の内面部（外壁支柱部材９の内側面）２７７に当接する第１の板状連続梁部２７９が、前記中間スラブ１０自体によって構成されている。該第１の板状連続梁部２７９は、前記中間仕切り部３の両側部分１９９，１９９においては、矩形板状を呈する前記第１の中間スラブ１０ａの全体からなり、梁状体２７４として機能する。
【００８８】
一方、該両側部分１９９，１９９間２００にあっては、該第１の板状連続梁部２７９は、前記第２の中間スラブ１０ｂの、前記内壁支柱部材列３２の延長方向Ｆ１と直交する方向Ｆ２に長い前記した各繋ぎ板部１８０と、前記支持台部５０（図１８）と、前記間隙部分１９６における充填材１０７の硬化物２８０，２８０（図１８）とが、該直交する方向Ｆ２に直線状に連なることによって構成されている。これによって、前記両側の外壁支柱部材列３９，３９に作用する水平方向の土圧は、前記延長方向Ｆ１に並設された該第１の板状連続梁部２７９の並列体２８１によって効果的に支持されることとなる。
【００８９】
図４４においては、説明の便宜上、前記第１の板状連続梁部２７９の直線状の延長方向を一点鎖線で示している。又本実施例においては、図４、図４４に示すように、前記上の連通開口部４６を前記内壁支持部材列３２の端部側に設けているため、隣の単位貯水槽２へ作業者が移動する際、第１の中間スラブ１０ａを架設して構成された平坦な前記両側部分１９９，１９９において安全に移動できることとなる。
【００９０】
又、前記端面板部２０３を構成する両側の外壁支柱部材列１８４，１８４は、前記中間仕切り部３の、前記延長方向Ｆ１と直交する方向Ｆ２に直線状に連続する連続支持側面２８２，２８２で支持されている。加えて、前記延長方向Ｆ１に直線状に連続すると共にその両端部２８３，２８３が前記外壁支柱部材列１８４，１８４の内面部２８５，２８５に当接する第２の板状連続梁部２８６が設けられている。該第２の板状連続梁部２８６には、前記内壁支柱部材並列体３３が構成するものと、前記中間仕切り部３が構成するものの２種類がある。このうち該中間仕切り部３が構成するものは、前記第１の中間スラブ１０ａの全体によって形成される両側の梁状部２８９，２８９と、その間に形成される、前記延長方向Ｆ１に並置された前記幅広部１８１，１８１が形成する中間の梁状部２９０，２９０との組み合わせで構成されている。図４４においては、説明の便宜上、前記第２の板状連続梁部２８６の直線状の延長方向を二点鎖線で示している。
【００９１】
本実施例においては、中間仕切り部３の両側部分１９９，１９９においては、欠切開口部１７７が設けられていない矩形板状を呈する第１の中間スラブ１０ａのみを架設することとしているため、該両側の外壁支柱部材列１８４，１８４に作用する水平方向の土圧の多くの部分を該第１の中間スラブ１０ａの列で支持できることとなってより好ましい。
【実施例２】
【００９２】
本発明は、前記実施例で示したものに限定されるものでは決してなく、「特許請求の範囲」の記載内で種々の設計変更が可能であることはいうまでもない。その一例を挙げれば次のようである。
【００９３】
(1) 図４６〜４７、図４８〜４９、図５０〜５１は、下端部分９６に前記スリーブ９７を埋設してなる上支柱部材１６の他の態様を示すものである。
【００９４】
図４６〜４７に示す上支柱部材１６は、前記上の立壁部８１の左右の立面２２，２３の下部の両側に位置させて側部支持片２９１，２９１、２９１，２９１が該上の立壁部８１と一体に突設されている。各側部支持片２９１は、前記上の立壁部８１の下面部８７の下方に突出する突出部２９３，２９３を有し、該突出部２９３，２９３の内側面２９５，２９５が、前記支持台部５０の左右側面７２，７３の上端部分に略当接する如くなされている。又、該突出部２９３，２９３の下面２９６，２９６が、前記中間スラブ１０の端部分２０の水平な上面５２に載置される平滑な水平面として形成されている。
【００９５】
然して、前記下支柱部材１３の上端１５に前記上支柱部材１６を立設状態に連結するに際しては、図４７に示すように、前記支持台部５０の上端面５１で突設された垂直接合筋９５が前記スリーブ９７の挿入孔９９に挿入されるように、該上支柱部材１６を吊り下ろす。このように吊り下ろすと、図４７に示すように、前記上の立壁部８１の下面部８７が前記支持台部５０の上端面５１に当接し且つ、左右の突出部２９３，２９３の下面（側部支持片２９１，２９１の下面）２９６，２９６が左右の上部スラブ１２，１２の端部分２０，２０の水平な上面５２，５２に当接するように、該側部支持片２９１，２９１が該左右の端部分２０，２０上に載置される。そして、前記突出部２９３，２９３の内側面２９５，２９５が、前記支持台部５０の左右の側面７２，７３の上端部分に略当接状態となる。左右の側部支持片２９１，２９１、２９１，２９１のかかる位置規制作用によって、上支柱部材１６は下支柱部材１３の上端１５に立設されることとなる。その後、前記と同様にして、前記支持台部５０と前記端部分２０の垂直な端面部１９５との間の間隙部分１９６に無収縮モルタルやグラウト等の充填材１０７を充填する。
【００９６】
図４８〜４９は、上支柱部材１６のその他の態様を示すものであり、前記上の立壁部８１の左右の立面２２，２３の下部の両側に位置させて側部支持片２９１，２９１、２９１，２９１が該上の立壁部８１と一体に突設されており、又、前記下支柱部材１３の上部に設けられた第１の中間受部２１ａ，２１ａで支持される中間スラブ１０，１０の端部分２０，２０の端面部１９５，１９５が垂直面として構成されている点は、前記と同様である。相違するのは、前記側部支持片２９１の下面２９６が、前記上の立壁部８１の下面部８７と面一の水平面に形成されている点にある。
【００９７】
然して、前記下支柱部材１３の上端に前記上支柱部材１６を立設状態に連結するに際しては、図４９に示すように、前記支持台部５０の上端面５１で突設された垂直接合筋９５が前記スリーブ９７の挿入孔９９に挿入されるように、該上支柱部材１６を吊り下ろす。このように吊り下ろすと、図４９に示すように、前記上の立壁部８１の下面部８７が前記支持台部５０の上端面５１に当接する。この状態で、前記上の立壁部８１の下面部８７を前記支持台部５０の上端面５１に当接させた状態で、前記端部分２０の上面５２と前記水平な下面２９６との間に形成される左右の高さ調整間隙３１０，３１０に、図４９（Ｂ）に示すように、所要厚さのライナプレート３１１の所要枚数を挿入することにより、前記上支柱部材１６の垂直状態を調整できることとなる。その後、前記支持台部５０と前記端部分２０の端面部１９５との間の間隙部分１９６に、前記と同様にして無収縮モルタル等の充填材１０７を充填する。
【００９８】
図５０〜５１は、上支柱部材１６のその他の態様を示すものであり、前記上の立壁部８１の左右の立面２２，２３の下部の両側に位置させて側部支持片２９１，２９１、２９１，２９１が該上の立壁部８１と一体に突設されている点は図４６〜４７に示す場合と同様であるが、該側部支持片２９１，２９１の構成が前記と異なる。即ち、該上支柱部材１６は、前記下支柱部材１３の上端１５に設けられた第１の中間受部２１ａ，２１ａで支持される中間スラブ１０の端部分２０の端面部１９５が、図４６〜４７に示す場合のような垂直面として構成されるのではなく、下側の垂直面２９７の上端縁２９９で、外方に向けて上方に傾斜する傾斜面３００，３００が連設された屈曲面として形成されている。これに合わせて前記左右の側部支持片２９１，２９１は、前記上の立壁部８１の下面部８７の下方に突出する左右の突出部３０１，３０１の外面３０２，３０２が、前記左右の傾斜面３００，３００と当接し得る傾斜面として形成されている。そして、前記上支柱部材１６が、前記上の立壁部８１の下面部８７を前記支持台部５０の上端面５１に当接させた吊り下ろし状態において、前記左右の突出部３０１，３０１の内側面３０５，３０５が該支持台部５０の左右の側面７２，７３に略当接する如くなされると共に、前記左右の突出部３０１，３０１の下面３０６，３０６が前記下の水平載置面７５，７５から浮き上がった状態にある。
【００９９】
又この状態で、前記側部支持片２９１，２９１の、前記傾斜面３００の上端縁３０７に連なる水平下面３０９は、前記中間スラブ１０の端部分２０の水平な上面５２の稍上方に位置する。例えば２０ｍｍ程度上方に位置する。然して、前記上の立壁部８１の下面部８７を前記支持台部５０の上端面５１に当接させた状態で、前記端部分２０の上面５２と前記水平下面３０９との間に形成される左右の高さ調整間隙３１０，３１０に、所要厚さのライナプレート３１１の所要枚数を挿入することにより、前記上支柱部材１６の垂直状態を調整できることとなる。その後、前記支持台部５０と前記端部分２０の端面部１９５との間の間隙部分１９６に、前記と同様にして無収縮モルタル等の充填材１０７を充填する。
【０１００】
(2) 図５２〜５３、図５４〜５５、図５６〜５７、図５８〜５９は、前記とは逆に、下支柱部材１３の上端部分３１２にスリーブ９７を埋設し、上支柱部材１６の上の立壁部８１の下面部８７で突設された垂下接合筋３１３を対応のスリーブ９７の挿入孔９９に挿入する場合を示すものである。
【０１０１】
図５２〜５３に示す上支柱部材１６は、図７に示すと略同様に構成されているが、前記スリーブ９７を具えておらず、上の立壁部８１の下面部８７に垂下接合筋３１３が突設されている点で異なる。然して、該垂下接合筋３１３を図５３に示すように対応のスリーブ９７の挿入孔９９に挿入するように該上支柱部材１６を吊り下ろし、該下面部８７を下支柱部材１３の上端１５に載置することにより該上支柱部材１６を該上端１５に立設できるようになされている。
【０１０２】
図５４〜５５に示す上支柱部材１６にあっては、前記上の立壁部８１の左右の立面２２，２３の下部の両側に位置させて側部支持片２９１，２９１、２９１，２９１が該上の立壁部８１と一体に突設されている。該左右の側部支持片２９１，２９１の下面２９６は、前記上の立壁部８１の下面部８７の上方に位置させて設けられた水平面として形成されている。然して、前記垂下接合筋３１３が、図５５に示すように対応のスリーブ９７の挿入孔９９に挿入するように、該上支柱部材１６を吊り下ろし、左右の側部支持片２９１，２９１の下面２９６，２９６を左右の前記中間スラブ１０，１０の端部分２０，２０の水平な上面５２，５２に当接させると、該左右の側部支持片２９１，２９１の位置規制作用によって、該上支柱部材１６を立設状態となし得る。
【０１０３】
図５６〜５７に示す上支柱部材１６は、左右に位置する中間スラブ１０，１０の端面部１９５，１９５が、下側の垂直面３１６の上端縁３１７で、外方に向けて上方に傾斜する傾斜面３１９，３１９を連設した構成を有する場合に使用されるものである。前記上の立壁部８１の左右の立面２２，２３の下部の両側に位置させて設けられている側部支持片２９１，２９１、２９１，２９１は、図５７に示すように、その下面２９６が、前記上の立壁部８１の下面部８７の上方に位置し、該下面部８７は、水平な前記上端１５に当接する水平面に形成されると共に、その下側部分の左右の外面３２０，３２０は前記傾斜面３１９，３１９に当接でき、該傾斜面３１９，３１９の上端縁６５，６５に、前記下面２９６，２９６が連設されている。そして、該上支柱部材１６を、前記側部支持片２９１，２９１の前記外面３２０，３２０を前記端部分２０，２０の傾斜面３１９，３１９に当接させた吊り下ろし状態において、該水平な下面２９６と前記端部分２０の上面５２との間に高さ調整間隙３１０が形成されるようになされている。該左右の高さ調整間隙３１０，３１０に、所要厚さのライナプレート３１１の所要枚数を挿入することにより、前記上支柱部材１６を前記下支柱部材１３の上端１５に立設できるようになされている。
【０１０４】
図５８〜５９は、前記と略同様に構成された左右の側部支持片２９１，２９１を有する上支柱部材１６に関するものであり、前記左右の水平下面２９６，２９６を、左右の端部分２０，２０の水平な上面５２，５２に当接させた状態で、該側部支持片２９１，２９１を該端部分２０，２０上に載置することにより、前記上の立壁部８１の下面部８７が前記下支柱部材１３の水平な上端１５から稍浮き上がった状態となるようになされている。そしてこの状態で、上支柱部材１６が立設状態となるように構成されている。
【０１０５】
このようにしてスリーブ９７を下支柱部材１３に設ける場合は、例えば図５３に示すように、前記スリーブ９７の挿入孔９９に予め充填材１０７を充填しておき、前記垂下接合筋３１３を該挿入孔９９に挿入させることができる。この他、例えば図５３に一点鎖線で示すように、該スリーブ９７の側部の上下端側に設けた上下の開口に連通するように上下の連通孔１０３，１０５を設け、前記と同様にして、下の連通孔１０５の下の開放端からスリーブ９７内に無収縮モルタルやグラウト等の充填材１０７を充填し、上の連通孔１０３の上の開放端から充填材が流出したことを以て、該スリーブ９７内に充填材１０７が充填されたことを確認し、その後、上下の連通孔１０３，１０５の上下の開放端を栓で塞ぐようにすることもできる。スリーブ９７を下支柱部材１３に設ける場合は、下支柱部材１３の左右の立面１７，１９の上部に中間受部２１，２１を設ける関係上、上下の連通孔１０３，１０５の長さが長くならざるを得ないのであるが、図１８に示すように、上支柱部材１６にスリーブ９７を設ける場合は、かかる上下の連通孔１０３，１０５の長さを短く設定することが可能となり、連通孔の加工コストを低減し得る利点がある。前記のように側部支持片２９１，２９１が突設される場合であっても、該側部支持片２９１，２９１が存する場所を極力避けてスリ−ブ９７を設けることができ、上下の連通孔１０３，１０５の形成をより容易化できる。
【０１０６】
(3) 上支柱部材１６が、前記のように側部支持片２９１，２９１が突設されてなる場合であっても、図３１に示すと同様にして、該上支柱部材１６を左右のサポート装置２０４，２０４で支持することもある。
【０１０７】
(4) 図６０は、下支柱部材１３の上端１５に上支柱部材１６を立設状態にして後、縦方向のＰＣ鋼棒３２１を用い、上下のナット３２２ａ，３２２ｂを締め付けて連結一体化した場合の一例を示すものである。該ＰＣ鋼棒３２１は、図６０に示すように、その下端部分をなすネジ軸部３２３が、前記下支柱部材１３の立面に設けた凹部３０４においてナット３２２ｂで止着されると共に、その上側部分３２５が該下支柱部材１３の上端１５から突出している。この突出した上側部分３２５が、前記上支柱部材１６に設けられた下端開放の挿入孔３２７に挿入せしめられ、その上端部分をなすネジ軸部３２９が、前記上支柱部材１６の立面に設けた凹部３１４においてナット３２２ａで止着されることにより、下支柱部材１３の上端１５に上支持部材１６が立設状態に連結されている。なお、下支柱部材１３と上支柱部材１６とは、アングル状連結部材等の連結金具を用いて連結することもできる。
【０１０８】
(5) 図６１は、本発明に係る上下二槽型の貯水槽１の他の実施例を示すものであり、前記内壁支柱部材並列体３３の選択された一列又は複数列の内壁支柱部材列３２ａに関して、これを構成する内壁支柱部材７の全部を、前記下支柱部材１３の上端１５に上支柱部材１６を立設状態に連結してなる二分割型のもの７ａ（図８）を用い、その余の内壁支柱部材７ｂは、例えば図６１に示すように、全体が一体に形成されている。
【０１０９】
このように構成することにより、狭い施工現場においても、例えば図６１に示すように、広い資材仮置き場１９８ａや広い施工管理室１９８ｂを、施工空間部に好ましい分散状態に設けることができて施工能率の向上に寄与できることとなる。
【０１１０】
図６２は、選択された内壁支柱部材列３２ａを構成する内壁支柱部材７の一部を二分割型の内壁支持部材７ａを用いて構成した他の態様を示すものであり、前記中間仕切り部３が、例えば図３〜４に示すように、両側部分１９９，１９９においては、矩形板状を呈する第１の前記中間スラブ１０ａを架設して構成されると共に、該両側部分間２００においては、前記欠切開口部１７７，１７７が形成された中間スラブ１０ｂを架設して構成されている。このように構成する場合は、該欠切開口部１７７が形成された中間スラブ１０ｂを配設した部分においては、該欠切開口部１７７が存する部分で前記掛着部材２０６を取り付けることができないために、前記内壁支柱部材７を構成する上支柱部材１６を図３０〜３１に示すようにサポート装置２０４で仮支持することが難しい。そこで、該中間スラブ１０ｂが存する場所では、全体が一体に構成された内壁支柱部材７ｂを立設することがある。そして、矩形板状を呈する前記中間スラブ１０ａが存する場所においては、上支柱部材１６を図３１〜３２に示すようにサポート装置２０４で仮支持することが容易であるため、この部分では、中間スラブ１０の架設の容易性も考慮して、前記二分割型の内壁支柱部材７ａを立設することがある。
【０１１１】
(6) 本発明に係る上下二槽型の貯水槽１は、前記端面板部２０３を、プレキャストコンクリート製や現場打ちコンクリート製の平板状の端面板で構成することもある。
【０１１２】
(7) 更に、本発明に係る貯水槽１の、前記端面板部２０３の形態は施工現場の地形によっては、平面視で直線状ではなく、例えば図６３〜６４に示すように段階状を呈する如く構成されることもある。或いは、貯水槽１の平面視の外形３３８が図６５に示すようにコ字状等に構成されることもある。図６３〜６５において、前記したと同様の構成部分には前記と同一の符号（３２，３２ａ，３３，３９，１８８，２０３）を付している。
【０１１３】
(8) 前記第１の中間スラブ１０ａには、前記した第１、第２の板状連続梁部２７９，２８６の構成に支障のない範囲で、例えば図６６に示すように、貯水槽の前記延長方向Ｆ１で見た両側部分における前記空気抜きをより円滑化するために、独立状態の空気抜き開口部３４０ａが適宜設けられることがある。この空気抜き開口部３４０ａは、例えば１５０ｍｍ径の円形孔として形成することができる。或いは図６７に示すように、前記第１の中間スラブ１０ａの前記延長方向Ｆ１で見た側部に欠切部３３２を設けることによって、該延長方向Ｆ１で隣り合う第１の中間スラブ１０ａ，１０ａ間に空気抜き開口部３４０ｂを設けることもある。なお、これらの空気抜き開口部３４０ａ，３４０ｂは、貯水槽底部２７５を点検するための開口部としても利用できる。
【０１１４】
(9) 図６８〜７１は、前記第２の中間スラブ１０ｂの他の態様を示すものであり、図６８に示す第２の中間スラブ１０ｂにおいては、その一側部分にのみ欠切開口部１７７が設けられている。図６９に示す第２の中間スラブ１０ｂには、前記のような欠切開口部１７７が設けられるのではなく独立開口部３４１が設けられている。又、図７０に示す第２の中間スラブ１０ｂは、平面視でＨ字状に構成されており、両側の幅広部１８１，１８１相互が、直線状の繋ぎ板部１８０で連結されている。図７１に示す第２の中間スラブ１０ｂにあっては、前記延長方向Ｆ１と直交する方向Ｆ２で隣り合う独立開口部３４１，３４１が中間連結板部３４２を介して設けられている。そして、該中間連結板部３４２には、その上面３４３で開口するインサート３４５が、所要間隔を置いて複数個、例えば４個設けられている。図７１においては２列設けられている。該インサート３４５は、例えば図７１（Ｂ）、図７２（Ａ）（Ｂ）に示すように、前記サポート装置２０４を構成する前記掛着部材２０６を固定するための前記固定ボルト２１０を螺合するために用いることができる。該インサート３４５は複数個設けられているため、所要位置のインサート３４５を選択することによって、図７２（Ａ）に示すように、前記上支柱部材１６と該第２のスラブ１０ｂとの間に、前記サポート軸２０７を無理のない傾斜状態にして取り付けることができる。
【０１１５】
(10)前記実施例においては、前記両側部分間２００において、欠切開口部１７７や独立開口部３３５を有する第２の中間スラブ１０ｂを架設しているが、前記点検用開口部２０１を通して貯水槽底部２７５の点検を行ない得る限り、部分的に、前記第１の中間スラブ１０ａを架設することもある。
【０１１６】
(11)矩形状を呈する前記第１、第２の中間スラブ１０ａ，１０ｂには、前記した長方形板状を呈するものの他、正方形板状を呈するものも含まれる。
【０１１７】
(12)図７３は、二分割型の内壁支柱部材７の前記第１の中間受部２１ａの他の態様を示すものであり、図７４は、一体型の内壁支柱部材７の第１の中間受部２１ａの他の態様を示すものである。又図７５は、外壁支柱部材９の第２の中間受部２１ｂの他の態様を示すものである。
【０１１８】
(13)図７６は、止水材１８９が付された上支柱部材１６を示すものであり、図７７〜７９は、止水材１８９が付された外壁支柱部材１６を示すものである。
【０１１９】
(14)前記中間仕切り部３は、土圧に抵抗できる貯水槽を構築できる限り、全体又は部分的に、中間スラブが省略されることもある。例えば図４に示す場合において、単位貯水槽２の一列乃至複数列について、部分的に中間スラブが省略されることがある。
このように構成する場合は、使用する中間スラブの枚数を減らすことができ、又、その架設の為の施工手間を削減できる等、施工経済上好ましい。
【０１２０】
(15)前記下支柱部材１３の台座部６１を構成する前記下の突出部５６（図７）や、前記外壁支柱部材９の台座部１２８を構成する前記下の突出部１１６（図１０）の夫々の突出量は、前記下支柱部材１３や前記外壁支柱部材９を基礎コンクリート上に載置した状態における立設状態の安定性を向上させるために、図７や図１０に示す場合よりも大きくすることがある。
【符号の説明】
【０１２１】
１  貯水槽
２  単位貯水槽
３  中間仕切り部
５  上の貯水槽部
６  下の貯水槽部
７  内壁支柱部材
９  外壁支柱部材
１０  中間スラブ
１１  貯水槽頂版部
１２  上部スラブ
１３  下支柱部材
１５  上端
１６  上支柱部材
２０  中間スラブの端部分
２１  中間受部
２５  上部受部
２７  上部スラブの端部分
３２  内壁支柱部材列
３３  内壁支柱部材並列体
３７  継手面部
３９  外壁支柱部材列
４０  外壁囲枠体
４３  下の単位貯水槽部
４４  貯水槽頂版部
４５  上の単位貯水槽部
４６  上の連通開口部
４７  下の連通開口部
５０  支持台部
５１  上端面
７５  下の水平載置面
７６  接合用ボルト
７９  インサート
９２  上の水平載置面
９５  垂直接合筋
９７  スリーブ
１０７  充填材
１２５  継手面部
１３５  上の水平載置面
１４１  下の水平載置面
１７７  欠切開口部
１８７  下支柱部材列
１８９  止水材
１９０  下支柱部材並列体
１９６  間隙部分
２０１  点検用開口部
２０４  サポート装置
２０６  掛着部材
２０７  サポート軸
【図１】
0005836647.tif 000002
【図２】
0005836647.tif 000003
【図３】
0005836647.tif 000004
【図４】
0005836647.tif 000005
【図５】
0005836647.tif 000006
【図６】
0005836647.tif 000007
【図７】
0005836647.tif 000008
【図８】
0005836647.tif 000009
【図９】
0005836647.tif 000010
【図１０】
0005836647.tif 000011
【図１１】
0005836647.tif 000012
【図１２】
0005836647.tif 000013
【図１３】
0005836647.tif 000014
【図１４】
0005836647.tif 000015
【図１５】
0005836647.tif 000016
【図１６】
0005836647.tif 000017
【図１７】
0005836647.tif 000018
【図１８】
0005836647.tif 000019
【図１９】
0005836647.tif 000020
【図２０】
0005836647.tif 000021
【図２１】
0005836647.tif 000022
【図２２】
0005836647.tif 000023
【図２３】
0005836647.tif 000024
【図２４】
0005836647.tif 000025
【図２５】
0005836647.tif 000026
【図２６】
0005836647.tif 000027
【図２７】
0005836647.tif 000028
【図２８】
0005836647.tif 000029
【図２９】
0005836647.tif 000030
【図３０】
0005836647.tif 000031
【図３１】
0005836647.tif 000032
【図３２】
0005836647.tif 000033
【図３３】
0005836647.tif 000034
【図３４】
0005836647.tif 000035
【図３５】
0005836647.tif 000036
【図３６】
0005836647.tif 000037
【図３７】
0005836647.tif 000038
【図３８】
0005836647.tif 000039
【図３９】
0005836647.tif 000040
【図４０】
0005836647.tif 000041
【図４１】
0005836647.tif 000042
【図４２】
0005836647.tif 000043
【図４３】
0005836647.tif 000044
【図４４】
0005836647.tif 000045
【図４５】
0005836647.tif 000046
【図４６】
0005836647.tif 000047
【図４７】
0005836647.tif 000048
【図４８】
0005836647.tif 000049
【図４９】
0005836647.tif 000050
【図５０】
0005836647.tif 000051
【図５１】
0005836647.tif 000052
【図５２】
0005836647.tif 000053
【図５３】
0005836647.tif 000054
【図５４】
0005836647.tif 000055
【図５５】
0005836647.tif 000056
【図５６】
0005836647.tif 000057
【図５７】
0005836647.tif 000058
【図５８】
0005836647.tif 000059
【図５９】
0005836647.tif 000060
【図６０】
0005836647.tif 000061
【図６１】
0005836647.tif 000062
【図６２】
0005836647.tif 000063
【図６３】
0005836647.tif 000064
【図６４】
0005836647.tif 000065
【図６５】
0005836647.tif 000066
【図６６】
0005836647.tif 000067
【図６７】
0005836647.tif 000068
【図６８】
0005836647.tif 000069
【図６９】
0005836647.tif 000070
【図７０】
0005836647.tif 000071
【図７１】
0005836647.tif 000072
【図７２】
0005836647.tif 000073
【図７３】
0005836647.tif 000074
【図７４】
0005836647.tif 000075
【図７５】
0005836647.tif 000076
【図７６】
0005836647.tif 000077
【図７７】
0005836647.tif 000078
【図７８】
0005836647.tif 000079
【図７９】
0005836647.tif 000080
【図８０】
0005836647.tif 000081